【手続補正書】
【提出日】平成20年1月23日(2008.1.23)
【手続補正１】
【補正対象書類名】特許請求の範囲
【補正対象項目名】全文
【補正方法】変更
【補正の内容】
【特許請求の範囲】
【請求項１】
トレーサ含有組成物であって、前記組成物が冷却／加熱流体および少なくとも１つのトレーサ化合物を有し、前記トレーサ化合物が分析的に検出可能であり、ハイドロフルオロカーボン、重水素化ハイドロフルオロカーボン、重水素化炭化水素、ペルフルオロカーボン、フルオロエーテル、臭素化化合物、ヨウ化化合物、アルコール、アルデヒドおよびケトン、亜酸化窒素、並びに、それらの組み合わせからなる群から選択され、ただし前記冷却／加熱流体が前記トレーサ化合物と異なることを特徴とするトレーサ含有組成物。
【請求項２】
前記冷却／加熱流体がハイドロフルオロカーボン、ハイドロクロロフルオロカーボン、ペルフルオロカーボン、フルオロカーボンエーテル、炭化水素、二酸化炭素、アンモニア、またはその組み合わせを含むことを特徴とする請求項１に記載のトレーサ含有組成物。
【請求項３】
前記組成物が約５０ｐｐｍ〜約１０００ｐｐｍの範囲の量のトレーサ化合物またはトレーサブレンドを含むことを特徴とする請求項１に記載のトレーサ含有組成物。
【請求項４】
前記トレーサ化合物が、ＰＦＣ−１１６、ＰＦＣ−Ｃ２１６、ＰＦＣ−２１８、ＰＦＣ−Ｃ３１８、ＰＦＣ−３１−１０ｍｃ、ＰＦＣ−３１−１０ｍｙ、ＰＦＣ−Ｃ５１−１２ｍｙｃｍ、ＰＦＣ−Ｃ５１−１２ｍｙｍ、トランス、ＰＦＣ−Ｃ５１−１２ｍｙｍ、シス、ＨＦＯＣ−１２５Ｅ、ＨＦＯＣ−１３４ａＥ、ＨＦＯＣ−１４３ａＥ、ＨＦＯＣ−２２７ｅａＥ、ＨＦＯＣ−２３６ｆａＥ、ＨＦＯＣ−２４５ｆａＥβγまたはＨＦＯＣ−２４５ｆａＥαβ、ＨＦＯＣ−２４５ｃｂＥβγまたはＨＦＯＣ−２４５ｃｂαβ、ＨＦＥ−４２−１１ｍｃｃ（またはフレオン（Ｆｒｅｏｎ（登録商標））Ｅ１）、フレオン（Ｆｒｅｏｎ（登録商標））Ｅ２、ＨＦＣ−２３、ＨＦＣ−１６１、ＨＦＣ−１５２ａ、ＨＦＣ−１３４、ＨＦＣ−２２７ｅａ、ＨＦＣ−２２７ｃａ、ＨＦＣ−２３６ｃｂ、ＨＦＣ−２３６ｅａ、ＨＦＣ−２３６ｆａ、ＨＦＣ−２４５ｃｂ、ＨＦＣ−２４５ｆａ、ＨＦＣ−２５４ｃｂ、ＨＦＣ−２５４ｅｂ、ＨＦＣ−２６３ｆｂ、ＨＦＣ−２７２ｃａ、ＨＦＣ−２８１ｅａ、ＨＦＣ−２８１ｆａ、ＨＦＣ−３２９ｐ、ＨＦＣ−３２９ｍｍｚ、ＨＦＣ−３３８ｍｆ、ＨＦＣ−３３８ｐｃｃ、ＨＦＣ−３４７ｓ、ＨＦＣ−４３−１０ｍｅｅ、ＰＦＣ−１１６、ＰＦＣ−Ｃ２１６、ＰＦＣ−２１８、ＰＦＣ−Ｃ３１８、ＰＦＣ−３１−１０ｍｃ、ＰＦＣ−３１−１０ｍｙ、ＰＦＣ−Ｃ５１−１２ｍｙｃｍ、ＰＦＣ−Ｃ５１−１２ｍｙｍ、トランス、ＰＦＣ−Ｃ５１−１２ｍｙｍ、シス、ペルフルオロメチルシクロペンタン、ペルフルオロメチルシクロ−ヘキサン、ペルフルオロジメチルシクロ−ヘキサン（オルト、メタ、またはパラ）、ペルフルオロエチルシクロヘキサン、ペルフルオロインダン、ペルフルオロトリメチルシクロ−ヘキサンおよびその異性体、ペルフルオロイソプロピルシクロ−ヘキサン、シス−ペルフルオロデカリン、トランス−ペルフルオロデカリン、シス−またはトランス−ペルフルオロメチルデカリンおよびその異性体、ブロモメタン、ブロモフルオロメタン、ブロモジフルオロメタン、ジブロモフルオロメタン、トリブロモメタン、ブロモエタン、ブロモエテン、１，２−ジブロモエタン、１−ブロモ−１，２−ジフルオロエテン、ヨードトリフルオロメタン、ジフルオロヨードメタン、フルオロヨードメタン、１，１，２−トリフルオロ−１−ヨードエタン、１，１，２，２−テトラフルオロ−１−ヨードエタン、１，１，２，２−テトラフルオロ−１，２−ジヨードエタン、ヨードペンタフルオロベンゼン、エタノール、ｎ−プロパノール、イソプロパノール、アセトン（２−プロパノン）、ｎ−プロパナール、ｎ−ブタナール、メチルエチルケトン（２−ブタノン）、亜酸化窒素、およびそれらの組み合わせから選択される少なくとも１つのトレーサ化合物であることを特徴とする請求項１に記載のトレーサ含有組成物。
【請求項５】
請求項１に記載のトレーサ含有組成物を用いる方法であって、前記方法が、前記トレーサ化合物を前記冷却／加熱流体に組み合わせてトレーサ含有冷媒組成物を生成する工程と、
前記トレーサ含有冷媒組成物内の前記トレーサ化合物を検出する工程と
を含むことを特徴とする方法。
【請求項６】
請求項１に記載のトレーサ含有組成物を使用して冷却を起こす方法であって、前記方法が、冷却される物体の近傍でトレーサ含有組成物を蒸発させ、その後前記組成物を凝縮させる工程を含むことを特徴とする方法。
【請求項７】
請求項１に記載のトレーサ含有組成物を使用して冷却を起こす方法であって、前記方法が、加熱される物体の近傍でトレーサ含有組成物を凝縮させ、その後前記組成物を蒸発させる工程を含むことを特徴とする方法。
【請求項８】
請求項１に記載のトレーサ含有組成物の製造方法であって、前記方法が、冷却／加熱流体を、ハイドロフルオロカーボン、重水素化ハイドロフルオロカーボン、重水素化炭化水素、ペルフルオロカーボン、フルオロエーテル、臭素化化合物、ヨウ化化合物、アルコール、アルデヒド、ケトン、亜酸化窒素、およびそれらの組み合わせからなる群から選択されるトレーサ化合物と組み合わせる工程を含むことを特徴とする製造方法。
【手続補正２】
【補正対象書類名】明細書
【補正対象項目名】００５３
【補正方法】変更
【補正の内容】
【００５３】
【表１】
2007525585.tif 000001
本出願は、特許請求の範囲に記載の発明を含め以下の発明を包含する。
（１）  トレーサ含有組成物であって、前記組成物が冷却／加熱流体および少なくとも１つのトレーサ化合物を有し、前記トレーサ化合物が分析的に検出可能であり、ハイドロフルオロカーボン、重水素化ハイドロフルオロカーボン、重水素化炭化水素、ペルフルオロカーボン、フルオロエーテル、臭素化化合物、ヨウ化化合物、アルコール、アルデヒドおよびケトン、亜酸化窒素、並びに、それらの組み合わせからなる群から選択され、ただし前記冷却／加熱流体が前記トレーサ化合物と異なることを特徴とするトレーサ含有組成物。
（２）  前記冷却／加熱流体がハイドロフルオロカーボン、ハイドロクロロフルオロカーボン、ペルフルオロカーボン、フルオロカーボンエーテル、炭化水素、二酸化炭素、アンモニア、またはその組み合わせを含むことを特徴とする（１）に記載のトレーサ含有組成物。
（３）  前記組成物が単一のトレーサ化合物を含むことを特徴とする（１）に記載のトレーサ含有組成物。
（４）  前記組成物がトレーサブレンドを含むことを特徴とする（１）に記載のトレーサ含有組成物。
（５）  少なくとも一種の前記トレーサ化合物が単一の所定の異性体として存在することを特徴とする（１）に記載のトレーサ含有組成物。
（６）  少なくとも１種の前記トレーサ化合物が複数の所定の異性体として存在することを特徴とする（１）に記載のトレーサ含有組成物。
（７）  前記組成物が約５０ｐｐｍ〜約１０００ｐｐｍの範囲の量のトレーサ化合物またはトレーサブレンドを含むことを特徴とする（１）に記載のトレーサ含有組成物。
（８）  前記組成物が約５０ｐｐｍ〜約５００ｐｐｍの範囲の量のトレーサ化合物またはトレーサブレンドを含むことを特徴とする（７）に記載のトレーサ含有組成物。
（９）  前記組成物が約１００ｐｐｍ〜約３００ｐｐｍの範囲の量のトレーサ化合物またはトレーサブレンドを含むことを特徴とする（８）に記載のトレーサ含有組成物。
（１０）  前記トレーサ化合物が、ＰＦＣ−１１６、ＰＦＣ−Ｃ２１６、ＰＦＣ−２１８、ＰＦＣ−Ｃ３１８、ＰＦＣ−３１−１０ｍｃ、ＰＦＣ−３１−１０ｍｙ、ＰＦＣ−Ｃ５１−１２ｍｙｃｍ、ＰＦＣ−Ｃ５１−１２ｍｙｍ、トランス、ＰＦＣ−Ｃ５１−１２ｍｙｍ、シス、ＨＦＯＣ−１２５Ｅ、ＨＦＯＣ−１３４ａＥ、ＨＦＯＣ−１４３ａＥ、ＨＦＯＣ−２２７ｅａＥ、ＨＦＯＣ−２３６ｆａＥ、ＨＦＯＣ−２４５ｆａＥβγまたはＨＦＯＣ−２４５ｆａＥαβ、ＨＦＯＣ−２４５ｃｂＥβγまたはＨＦＯＣ−２４５ｃｂαβ、ＨＦＥ−４２−１１ｍｃｃ（またはフレオン（Ｆｒｅｏｎ（登録商標））Ｅ１）、フレオン（Ｆｒｅｏｎ（登録商標））Ｅ２、ＨＦＣ−２３、ＨＦＣ−１６１、ＨＦＣ−１５２ａ、ＨＦＣ−１３４、ＨＦＣ−２２７ｅａ、ＨＦＣ−２２７ｃａ、ＨＦＣ−２３６ｃｂ、ＨＦＣ−２３６ｅａ、ＨＦＣ−２３６ｆａ、ＨＦＣ−２４５ｃｂ、ＨＦＣ−２４５ｆａ、ＨＦＣ−２５４ｃｂ、ＨＦＣ−２５４ｅｂ、ＨＦＣ−２６３ｆｂ、ＨＦＣ−２７２ｃａ、ＨＦＣ−２８１ｅａ、ＨＦＣ−２８１ｆａ、ＨＦＣ−３２９ｐ、ＨＦＣ−３２９ｍｍｚ、ＨＦＣ−３３８ｍｆ、ＨＦＣ−３３８ｐｃｃ、ＨＦＣ−３４７ｓ、ＨＦＣ−４３−１０ｍｅｅ、ＰＦＣ−１１６、ＰＦＣ−Ｃ２１６、ＰＦＣ−２１８、ＰＦＣ−Ｃ３１８、ＰＦＣ−３１−１０ｍｃ、ＰＦＣ−３１−１０ｍｙ、ＰＦＣ−Ｃ５１−１２ｍｙｃｍ、ＰＦＣ−Ｃ５１−１２ｍｙｍ、トランス、ＰＦＣ−Ｃ５１−１２ｍｙｍ、シス、ペルフルオロメチルシクロペンタン、ペルフルオロメチルシクロ−ヘキサン、ペルフルオロジメチルシクロ−ヘキサン（オルト、メタ、またはパラ）、ペルフルオロエチルシクロヘキサン、ペルフルオロインダン、ペルフルオロトリメチルシクロ−ヘキサンおよびその異性体、ペルフルオロイソプロピルシクロ−ヘキサン、シス−ペルフルオロデカリン、トランス−ペルフルオロデカリン、シス−またはトランス−ペルフルオロメチルデカリンおよびその異性体、ブロモメタン、ブロモフルオロメタン、ブロモジフルオロメタン、ジブロモフルオロメタン、トリブロモメタン、ブロモエタン、ブロモエテン、１，２−ジブロモエタン、１−ブロモ−１，２−ジフルオロエテン、ヨードトリフルオロメタン、ジフルオロヨードメタン、フルオロヨードメタン、１，１，２−トリフルオロ−１−ヨードエタン、１，１，２，２−テトラフルオロ−１−ヨードエタン、１，１，２，２−テトラフルオロ−１，２−ジヨードエタン、ヨードペンタフルオロベンゼン、エタノール、ｎ−プロパノール、イソプロパノール、アセトン（２−プロパノン）、ｎ−プロパナール、ｎ−ブタナール、メチルエチルケトン（２−ブタノン）、亜酸化窒素、およびそれらの組み合わせから選択される少なくとも１つのトレーサ化合物であることを特徴とする（１）に記載のトレーサ含有組成物。
（１１）  （１）、（５）、または（６）に記載のトレーサ含有組成物を用いる方法であって、前記方法が、前記トレーサ化合物を前記冷却／加熱流体に組み合わせてトレーサ含有冷媒組成物を生成する工程と、
前記トレーサ含有冷媒組成物内の前記トレーサ化合物を検出する工程と
を含むことを特徴とする方法。
（１２）  前記検出工程が、前記トレーサの存在を検出する工程、前記トレーサの量を検出する工程、または前記トレーサ化合物の存在および量の両方を検出する工程を含むことを特徴とする方法。
（１３）  （１）、（５）、または（６）に記載のトレーサ含有組成物を使用して冷却を起こす方法であって、前記方法が、冷却される物体の近傍でトレーサ含有組成物を蒸発させ、その後前記組成物を凝縮させる工程を含むことを特徴とする方法。
（１４）  （１）、（５）、または（６）に記載のトレーサ含有組成物を使用して冷却を起こす方法であって、前記方法が、加熱される物体の近傍でトレーサ含有組成物を凝縮させ、その後前記組成物を蒸発させる工程を含むことを特徴とする方法。
（１５）  （１）に記載のトレーサ含有組成物の製造方法であって、前記方法が、冷却／加熱流体を、ハイドロフルオロカーボン、重水素化ハイドロフルオロカーボン、重水素化炭化水素、ペルフルオロカーボン、フルオロエーテル、臭素化化合物、ヨウ化化合物、アルコール、アルデヒド、ケトン、亜酸化窒素、およびそれらの組み合わせからなる群から選択されるトレーサ化合物と組み合わせる工程を含むことを特徴とする製造方法。